(57)【特許請求の範囲】
【請求項１】
入力面と、
前記入力面に対する押圧荷重を検出する荷重検出部と、
前記荷重検出部により入力受付荷重基準を満たす押圧荷重が検出されると、入力を受け付け、該入力を受け付けた後に前記荷重検出部により入力受付解除荷重基準を満たさない押圧荷重が検出されると、前記受け付けた入力を解除するように制御する制御部と、を備え、
前記制御部は、前記入力受付荷重基準を複数設定する場合、第１の入力受付荷重基準と、該第１の入力受付荷重基準に基づき受け付けた入力を解除するための第１の入力受付解除荷重基準との間隔よりも、前記第１の入力受付荷重基準より高い第２の入力受付荷重基準と、該第２の入力受付荷重基準に基づき受け付けた入力を解除するための第２の入力受付解除荷重基準との間隔を広くするように間隔を制御することを特徴とする電子機器。
【請求項２】
前記制御部は、前記入力面の同一箇所の押下時間が所定の時間を越える場合に、前記間隔を制御することを特徴とする、請求項１に記載の電子機器。
【請求項３】
前記制御部は、前記入力面の押下中における押下位置の移動距離が所定の長さを越える場合に、前記間隔を制御することを特徴とする、請求項１または２に記載の電子機器。
【請求項４】
前記制御部は、アプリケーションの種別に応じて、前記間隔を制御することを特徴とする、請求項１に記載の電子機器。
【発明の詳細な説明】
【技術分野】
【０００１】
本発明は、多段入力が可能な電子機器に関するものである。
【背景技術】
【０００２】
近年、携帯電話等の携帯端末において、操作者による操作を検出する部材として、タッチセンサやタッチスイッチ等の接触検出部を備える電子機器が増えている。また、携帯端末以外に、電卓、券売機等の機器や、電子レンジ、テレビ、照明器具等の家電製品、産業用機器（ＦＡ機器）等、接触検出部を備える電子機器は広く使用されている。
【０００３】
このような接触検出部には、抵抗膜方式、静電容量方式、光学式等の種々の方式が知られている。いずれの方式の接触検出部も、操作者の指やスタイラスペン等による接触を検出する。接触検出部を備えた電子機器は、一般的に、接触検出部の裏面に配置した表示部の表示画面上に、操作キーやボタンなどの画像（以下、「オブジェクト」と記す）を表示する。表示画面上に表示されたオブジェクトを操作者が押圧すると、当該押圧の位置における接触を接触検出部が検出する。
【０００４】
また、同一の押下箇所に対して、押し込んだ後にさらに押し込むことが可能な２段式スイッチを備えた接触検出部が知られている。例えば、２段式スイッチをカメラのシャッターボタンに適用した例では、１段目のスイッチをオン（いわゆる半押し）することによりピントを合わせ、２段目のスイッチをオン（いわゆる全押し）することによりシャッターを切る。なお、以下の説明において、同一の押下箇所に対してｎ段階（ｎは１以上の整数）押し込むことをｎ段入力と称し、複数段階押し込むことを多段入力と称する。
【０００５】
最近では、軽い押圧荷重に応答するタッチセンサを上に配置し、重い押圧荷重に応答するタッチセンサを下に重ねて配置することで、操作者が荷重を印加したときに、上のタッチセンサ、下のタッチセンサの順番で電気的接続を行うように構成された２段式タッチセンサを備えた接触検出部が知られている。また、２段式タッチセンサをカメラのシャッターボタンに適用し、押圧荷重が第１の入力受付荷重閾値を超えた場合には半押しと判定してピントを合わせ、押圧荷重が第２の入力受付荷重閾値を超えた場合には全押しと判定してシャッターを切り、その時に所定の触感を返すカメラ装置が知られている（例えば、特許文献１参照）。
【０００６】
また、押圧荷重閾値が設定されている接触検出部において、荷重閾値を超える押圧荷重を印加し、その状態を維持する場合、人間の指で同じ力で入力を維持しているつもりでも、押下する力が徐々に抜けてしまう。そのため、入力を受け付ける荷重閾値である入力受付荷重閾値と入力を解除する荷重閾値である入力受付解除荷重閾値とを別とし、入力受付荷重閾値よりも入力受付解除荷重閾値を低くすることが考えられる。この場合、押圧荷重が第１の入力受付荷重閾値を超えた場合に１段目の入力を受け付け、押圧荷重が第１の入力受付荷重閾値を超えた後に第１の入力受付解除荷重閾値以下となると１段目の入力を解除し、押圧荷重が第２の入力受付荷重閾値を超えた場合に２段目の入力を受け付け、押圧荷重が入力閾値２を超えた後に入力受付解除荷重閾値２以下となると２段目の入力を解除するように動作する。
【先行技術文献】
【特許文献】
【０００７】
【特許文献１】特開２００６−０１３６６１号公報
【発明の概要】
【発明が解決しようとする課題】
【０００８】
図１２は、上述した入力受付荷重閾値と入力受付解除荷重閾値とを別とする制御を多段入力に適用した場合の、荷重閾値の一例を示す図である。また、図１２には、１段目の入力に対する押圧荷重および２段目の入力に対する押圧荷重の一例を示している。図１２に示すように、従来の電子機器においては、各段数における入力受付荷重閾値および入力受付解除荷重閾値の間隔ｄ１，ｄ２，ｄ３は、ほぼ等しくなるように設定されている。
【０００９】
しかし、高い入力受付荷重閾値に対して入力を維持する場合には、押下する力が抜けてしまう変化量が大きいため、入力受付荷重閾値が高いときと低いときとで入力受付解除荷重閾値との間隔が同じであると、入力受付荷重閾値が高いときに、操作者が意図していないのにもかかわらず入力受付が解除されてしまうという問題が生じる。図１２に示す例では、２段目の入力に対する押圧荷重は１段目の入力に対する押圧荷重よりも変化量が大きく、破線の丸で示した箇所において、操作者が意図しない入力受付解除が発生している。
【００１０】
したがって、かかる事情に鑑みてなされた本発明の目的は、操作者が意図しない入力受付解除を防止することができる電子機器を提供することにある。
【課題を解決するための手段】
【００１１】
上記課題を解決するため、本発明に係る電子機器は、
入力面と、
前記入力面に対する押圧荷重を検出する荷重検出部と、
前記荷重検出部により入力受付荷重基準を満たす押圧荷重が検出されると、入力を受け付け、該入力を受け付けた後に前記荷重検出部により入力受付解除荷重基準を満たさない押圧荷重が検出されると、前記受け付けた入力を解除するように制御する制御部と、を備え、
前記制御部は、前記入力受付荷重基準を複数設定する場合、第１の入力受付荷重基準と、該第１の入力受付荷重基準に基づき受け付けた入力を解除するための第１の入力受付解除荷重基準との間隔よりも、前記第１の入力受付荷重基準より高い第２の入力受付荷重基準と、該第２の入力受付荷重基準に基づき受け付けた入力を解除するための第２の入力受付解除荷重基準との間隔を広くするように前記間隔を制御することを特徴とする。
【００１２】
さらに、本発明に係る電子機器において、
前記入力面の同一箇所の押下時間を測定する押下時間測定部をさらに備え、
前記制御部は、前記押下時間測定部により測定された押下時間が所定の時間を越える場合に、前記間隔を制御することを特徴とする。
【００１３】
さらに、本発明に係る電子機器において、
前記入力面の押下中における押下位置の移動距離を測定する押下移動距離測定部をさらに備え、
前記制御部は、前記押下移動距離測定部により測定された移動距離が所定の長さを越える場合に、前記間隔を制御することを特徴とする。
【００１４】
さらに、本発明に係る電子機器において、
アプリケーションの種別を判定するアプリケーション判定部をさらに備え、
前記制御部は、前記アプリケーション判定部により判定されたアプリケーションに応じて、前記間隔を制御することを特徴とする。
【発明の効果】
【００１５】
本発明によれば、従来よりも小さい押圧力で入力を維持することができ、操作者が意図しない入力受付解除を防止することが可能となる。
【図面の簡単な説明】
【００１６】
【図１】本発明の第１の実施形態に係る電子機器の概略構成を示すブロック図である。
【図２】本発明の第１の実施形態に係る電子機器の実装構造の一例を示す図である。
【図３】本発明の第１の実施形態に係る電子機器の動作を示すフローチャートである。
【図４】本発明の第２の実施形態に係る電子機器の概略構成を示すブロック図である。
【図５】本発明の第２の実施形態に係る電子機器の長押し操作時の押圧荷重および荷重閾値の一例を示す図である。
【図６】本発明の第２の実施形態に係る電子機器の動作を示すフローチャートである。
【図７】本発明の第３の実施形態に係る電子機器の概略構成を示すブロック図である。
【図８】本発明の第３の実施形態に係る電子機器のスライド操作時の押圧荷重および荷重閾値の一例を示す図である。
【図９】本発明の第３の実施形態に係る電子機器の動作を示すフローチャートである。
【図１０】本発明の第４の実施形態に係る電子機器の概略構成を示すブロック図である。
【図１１】本発明の第４の実施形態に係る電子機器の動作を示すフローチャートである。
【図１２】従来の電子機器における押圧荷重および荷重閾値の一例を示す図である。
【発明を実施するための形態】
【００１７】
以下、本発明の実施の形態について、図面を参照して詳細に説明する。
【００１８】
（第１の実施形態）
図１は、本発明の第１の実施形態に係る電子機器の概略構成を示すブロック図である。図１に示すように、電子機器１ａは、接触検出部１０と、表示部２０と、荷重検出部３０と、記憶部４０と、制御部５０と、触感呈示部６０とを備える。
【００１９】
表示部２０は、押しボタンスイッチ（プッシュ式ボタンスイッチ）のようなオブジェクトを画像表示する。押しボタンスイッチとは、操作者が入力の操作に用いるボタンやキー等である。表示部２０は、例えば、液晶表示パネル（ＬＣＤ）や有機ＥＬ表示パネル等を用いて構成される。
【００２０】
接触検出部１０は、操作者からの入力面１０ａの押下による多段入力を受け付けるためのものであり、通常は表示部２０の前面に配置され、表示部２０に表示されたオブジェクトに対する操作者の指等の接触物による接触（または接触の解除）を、対応する接触検出部１０の入力面１０ａにおいて検出する。また、接触検出部１０は、入力面１０ａに対する接触の位置を検出し、当該検出した接触の位置を制御部５０に通知する。この接触検出部１０は、例えば抵抗膜方式、静電容量方式等の公知の方式のもので構成される。
【００２１】
荷重検出部３０は、接触検出部１０の入力面１０ａに対する押圧荷重を検出するものであり、例えば、歪みゲージセンサや圧電素子等の荷重に対してリニアに反応する素子を用いて構成される。また、荷重検出部３０は、検出した入力面１０ａに対する押圧荷重を、制御部５０に通知する。
【００２２】
記憶部４０は、公知技術によるメモリで構成することができ、入力された各種情報や電子機器１ａを動作させるためのプログラムなどを記憶するとともに、ワークメモリとしても機能する。特に、本実施形態においては、各入力段の、入力を受け付ける押圧荷重閾値である入力受付荷重閾値と入力を解除する押圧荷重閾値である入力受付解除荷重閾値とを記憶する。
【００２３】
複数の入力受付荷重閾値及び複数の入力受付解除荷重閾値は、予め決定しておいてもよいし、学習機能部（図示せず）により、操作者に応じて異なる値を設定できるようにしてもよい。学習機能部は、操作者に接触検出部１０の入力面１０ａを押下するように指示し、各入力段において入力を維持しているときの押圧荷重の変動を記録する。押圧荷重は、入力面１０ａの押下後、徐々に減少していき、所定時間が経過したところでほぼ一定の値（以下、押圧荷重安定値と称する）となる。学習機能部は、押圧荷重安定値より所定の値だけ低い値を入力受付解除荷重閾値として記憶部４０に記憶する。
【００２４】
制御部５０は、荷重検出部３０により入力受付荷重基準を満たす（入力受付荷重閾値を超える）押圧荷重が検出されると、入力を受け付ける。そして、入力を受け付けた後に、荷重検出部３０により入力受付解除荷重基準を満たさない（入力受付解除荷重閾値以下の）押圧荷重が検出されると、受け付けた入力を解除するように制御する。
【００２５】
制御部５０は、入力受付荷重基準を複数設定する場合、第１（例えば１段目）の入力受付荷重基準（入力受付荷重閾値）と、第１の入力受付荷重基準に基づき受け付けた入力を解除するための第１の入力受付解除荷重基準（入力受付解除荷重閾値）との間隔よりも、第１の入力受付荷重基準より高い第２（例えば２段目）の入力受付荷重基準（入力受付荷重閾値）と、第２の入力受付荷重基準に基づき受け付けた入力を解除するための第２の入力受付解除荷重基準（入力受付解除荷重閾値）との間隔を広くするように制御する。なお、押圧荷重が低い場合には押圧荷重の変動が少ないため、１段目の入力受付荷重閾値と、１段目の入力受付解除荷重閾値との間隔をゼロ、すなわち、両者を等しい値としてもよい。
【００２６】
触感呈示部６０は、例えば圧電振動子等を用いて構成され、所定の振動パターンによる振動等を発生させることにより、入力面１０ａに接触している接触対象に対して、「クリック」の触感や「ブルブル」の触感を呈示する。触感呈示部６０により、押圧荷重が各段の入力受付荷重基準を満たしたか否かを操作者に報知することができる。ただし、表示部２０による表示、又は図示しない音声出力部により操作者に報知することもでき、この場合には、触感呈示部６０を備えない構成としてもよい。
【００２７】
図２は、図１に示した電子機器１ａの実装構造の一例を示すもので、図２（ａ）は要部断面図、図２（ｂ）は要部平面図である。表示部２０は、筐体１１内に収納保持する。表示部２０上には、弾性部材からなるインシュレータ１２を介して、接触検出部１０を保持する。なお、本実施の形態に係る電子機器１ａは、表示部２０および接触検出部１０を、平面視で矩形状としてある。本実施の形態において、接触検出部１０は、図２（ｂ）に仮想線で示す表示部２０の表示領域Ａから外れた４隅に配設したインシュレータ１２を介して表示部２０上に保持する。
【００２８】
また、筐体１１には、表示部２０の表示領域から外れた接触検出部１０の表面領域を覆うようにアッパカバー１３を設け、このアッパカバー１３と接触検出部１０との間に、弾性部材からなるインシュレータ１４を配設する。
【００２９】
なお、図２に示す接触検出部１０は、入力面１０ａを有する表面部材を、例えば透明フィルムやガラスで構成し、裏面部材をガラスやアクリルで構成している。接触検出部１０は、入力面１０ａが押圧されると、押圧部分が押圧力に応じて微少量撓む（歪む）、または構造体そのものが微少量撓む構造のものを用いる。
【００３０】
接触検出部１０の表面上には、アッパカバー１３で覆われる各辺の近傍に、接触検出部１０に加わる荷重（押圧力）を検出するための歪みゲージセンサ３１をそれぞれ接着等により設ける。また、接触検出部１０の裏面上には、対向する２つの辺の近傍に、接触検出部１０を振動させるための圧電振動子６１をそれぞれ接着等により設ける。すなわち、図２に示す電子機器１ａは、図１に示した荷重検出部３０を４つの歪みゲージセンサ３１を用いて構成し、触感呈示部６０を２つの圧電振動子６１を用いて構成している。そして、触感呈示部６０により接触検出部１０を振動させることにより、入力面１０ａを振動させるようにしている。なお、図２（ｂ）は、図２（ａ）に示した筐体１１、アッパカバー１３およびインシュレータ１４の図示を省略している。
【００３１】
次に、このように構成される本実施形態に係る電子機器１ａの動作を説明する。図３は、本実施形態に係る電子機器１ａの動作を示すフローチャートである。ここでは、２段入力の場合について説明し、押圧荷重が入力受付荷重閾値を超えた場合に触感を呈示するものとする。
【００３２】
まず、電子機器１ａの動作が開始すると、制御部５０は、接触検出部１０に対する接触を監視するとともに、荷重検出部３０で検出される荷重を監視する（ステップＳ１０１）。
【００３３】
ステップＳ１０１において、操作者の指等の接触物による接触検出部１０に対する接触が検出されると、制御部５０は、荷重検出部３０により検出される押圧荷重が、１段目の入力受付荷重基準を満たすか否か、すなわち記憶部４０から取得した１段目の入力受付荷重閾値を超えるか否かを判定する（ステップＳ１０２）。なお、荷重検出部３０は、例えば、４つの歪みゲージセンサ３１の出力の平均値から荷重を検出する。
【００３４】
ステップＳ１０２において、荷重検出部３０により検出される押圧荷重が、１段目の入力受付荷重基準を満たす場合には、制御部５０は、当該接触の位置を、例えば座標などの情報として、記憶部４０に記憶する（ステップＳ１０３）。
【００３５】
そして、制御部５０は、触感呈示部６０を所定の駆動信号で駆動して、予め設定した所定の振動パターンで接触検出部１０を振動させて触感を呈示する（ステップＳ１０４）。触感呈示部６０は、例えば、２つの圧電振動子６１を同相で駆動する。
【００３６】
次に、制御部５０は、１段目の入力受付解除荷重基準を設定する。すなわち、１段目の入力受付解除荷重閾値を記憶部４０から取得して設定する（ステップＳ１０５）。
【００３７】
その後、制御部５０は、荷重検出部３０により検出される押圧荷重が、２段目の入力受付荷重基準を満たす、すなわち記憶部４０から取得した２段目の入力受付解除荷重閾値を超えるまで待機する（ステップＳ１０６）。待機中に、荷重検出部３０により検出される押圧荷重が１段目の入力受付解除荷重基準を満たすか否かを判定し（ステップＳ１０７）、１段目の入力受付解除荷重基準を満たさなくなる、すなわち記憶部４０から取得した１段目の入力受付解除荷重閾値以下となると、動作を終了する。
【００３８】
ステップＳ１０６において、荷重検出部３０により検出される押圧荷重が、２段目の入力受付荷重基準を満たす場合には、制御部５０は、触感呈示部６０を所定の駆動信号で駆動して、予め設定した所定の振動パターンで接触検出部１０を振動させて触感を呈示する（ステップＳ１０８）。
【００３９】
次に、制御部５０は、２段目の入力受付解除荷重基準を設定する。すなわち、２段目の入力受付解除荷重閾値を記憶部４０から取得して設定する（ステップＳ１０９）。
【００４０】
最後に、制御部５０は、荷重検出部３０により検出される押圧荷重が、２段目の入力受付解除荷重基準を満たさない、すなわち記憶部４０から取得した２段目の入力受付解除荷重閾値以下となると、動作を終了する（ステップＳ１１０）。
【００４１】
このように、本実施形態の電子機器１ａによれば、制御部５０は、第１の入力受付荷重基準と、第１の入力受付荷重基準に基づき受け付けた入力を解除するための第１の入力受付解除荷重基準との間隔よりも、記第１の入力受付荷重基準より高い第２の入力受付荷重基準と、第２の入力受付荷重基準に基づき受け付けた入力を解除するための第２の入力受付解除荷重基準との間隔を広くするように間隔を制御することにより、従来よりも小さい押圧力で入力を維持することができ、操作者が意図しない入力受付解除を防止することが可能となる。
【００４２】
（第２の実施形態）
次に、本発明による第２の実施形態の電子機器について説明する。なお、第１の実施形態の電子機器１ａと同じ構成要素には同一の参照番号を付して説明を省略する。
【００４３】
図４は、第２の実施形態の電子機器の概略構成を示すブロック図である。本実施形態の電子機器１ｂは、接触検出部１０と、表示部２０と、荷重検出部３０と、記憶部４０と、制御部５０と、触感呈示部６０と、押下時間測定部７０とを備える。本実施形態の電子機器１ｂは、第１の実施形態の電子機器１ａと比較して、さらに押下時間測定部７０を備える点が相違する。なお、説明の便宜上、電子機器１ｂが制御部５０とは別に押下時間測定部７０を備える構成としているが、制御部５０が押下時間測定部７０を含んでもよい。
【００４４】
押下時間測定部７０は、接触検出部１０の入力面１０ａの同一箇所が押下されている時間（押下時間）を測定し、制御部５０に通知する。押下時間は、例えば、荷重検出部３０により検出した押圧荷重が各入力段の入力受付荷重閾値を超えてから測定を開始する。制御部５０は、押下時間測定部７０から入力される押下時間が所定の時間を超えた場合には、長押し操作がされているものと判断する。長押し操作とは、カメラのシャッターのピント調整など、同一の段数において入力を長時間（例えば２〜３秒）維持する操作をいう。押下時間測定部７０を備えることにより、制御部５０は通常操作と長押し操作とを識別することができる。
【００４５】
記憶部４０は、通常操作時に用いる入力受付荷重閾値及び入力受付解除荷重閾値と、長押し操作時に用いる入力受付荷重閾値及び入力受付解除荷重閾値とを記憶する。図５は、長押し操作時に用いる荷重閾値（入力受付荷重閾値および入力受付解除荷重閾値）、および押圧荷重の一例を示す図である。ここでは、３段入力まで示しており、入力段数が上がるにつれて、入力受付荷重閾値と入力受付解除荷重閾値との間隔が大きくなる。
【００４６】
次に、このように構成される本実施形態に係る電子機器１ｂの動作を説明する。図６は、本実施形態に係る電子機器１ｂの動作を示すフローチャートである。ここでは、２段入力の場合について説明し、押圧荷重が入力受付荷重閾値を超えた場合に触感を呈示するものとする。
【００４７】
電子機器１ｂの動作が開始すると、制御部５０は、接触検出部１０に対する接触を監視するとともに、荷重検出部３０で検出される荷重を監視し（ステップＳ２０１）、操作者の指等の接触物による接触検出部１０に対する接触が検出されると、荷重検出部３０により検出される押圧荷重が、１段目の入力受付荷重基準を満たすか否かを判定する（ステップＳ２０２）。
【００４８】
ステップＳ２０２において、荷重検出部３０により検出される押圧荷重が、１段目の入力受付荷重基準を満たす場合には、制御部５０は、該接触の位置を記憶部４０に記憶し（ステップＳ２０３）、触感を呈示する（ステップＳ２０４）。そして、制御部５０は、１段目の入力受付解除荷重基準を設定する（ステップＳ２０５）。
【００４９】
本実施形態の電子機器１ｂでは、次に、制御部５０は、押下時間測定部７０から入力される押下時間に基づいて長押し操作がなされているか否かを判定する（ステップＳ２０６）。制御部５０は、ステップＳ２０６において長押し操作がなされていないと判定した場合には、ステップＳ２０５において設定された入力受付解除荷重基準を変更しない。一方、制御部５０は、ステップＳ２０６において長押し操作がなされていると判定した場合には、ステップＳ２０５において設定された１段目の入力受付解除荷重基準を変更し、図５に示すように１段目の入力受付荷重閾値および入力受付解除荷重閾値の間隔ｄ１を通常動作時よりも広くする（ステップＳ２０７）。
【００５０】
その後、制御部５０は、荷重検出部３０により検出される押圧荷重が、２段目の入力受付荷重基準を満たすまで待機する（ステップＳ２０８）。待機中に、荷重検出部３０により検出される押圧荷重が１段目の入力受付解除荷重基準を満たすか否かを判定し（ステップＳ２０９）、１段目の入力受付解除荷重基準を満たさなくなると、動作を終了する。ステップＳ２０８において、荷重検出部３０により検出される押圧荷重が、２段目の入力受付荷重基準を満たす場合には、制御部５０は触感を呈示する（ステップＳ２１０）。
【００５１】
次に、制御部５０は、２段目の入力受付解除荷重基準を設定し（ステップＳ２１１）、ステップＳ２０６と同様に、押下時間測定部７０から入力される押下時間に基づいて長押し操作がなされているか否かを判定する（ステップＳ２１２）。そして、長押し操作がなされていると判定した場合には、ステップＳ２１１において設定された２段目の入力受付解除荷重基準を変更し、図５に示すように２段目の入力受付荷重閾値および入力受付解除荷重閾値の間隔ｄ２を広くする（ステップＳ２１３）。ここで、間隔ｄ２は間隔ｄ１よりも広くする。最後に、制御部５０は、荷重検出部３０により検出される押圧荷重が、２段目の入力受付解除荷重基準を満たさなくなると、動作を終了する（ステップＳ２１４）。
【００５２】
このように、本実施形態の電子機器１ｂによれば、制御部５０は、入力面１０ａの同一箇所の押下時間が所定の時間を越える場合に、入力受付荷重基準と入力受付解除荷重基準との間隔を制御することにより、長押し操作を識別し、長押し操作に適した押圧荷重閾値を設定することでるので、操作者が意図しない入力受付解除を防止することが可能となる。
【００５３】
（第３の実施形態）
次に、本発明による第３の実施形態の電子機器について説明する。なお、第１の実施形態の電子機器１ａと同じ構成要素には同一の参照番号を付して説明を省略する。
【００５４】
図７は、第３の実施形態の電子機器の概略構成を示すブロック図である。本実施形態の電子機器１ｃは、接触検出部１０と、表示部２０と、荷重検出部３０と、記憶部４０と、制御部５０と、触感呈示部６０と、押下移動距離測定部８０とを備える。本実施形態の電子機器１ｃは、第１の実施形態の電子機器１ａと比較して、さらに押下移動距離測定部８０を備える点が相違する。なお、説明の便宜上、電子機器１ｃが制御部５０とは別に押下移動距離測定部８０を備える構成としているが、制御部５０が押下移動距離測定部８０を含んでもよい。
【００５５】
押下移動距離測定部８０は、接触検出部１０の入力面１０ａの押下中（押下が維持された状態）における押下位置の移動距離を測定し、制御部５０に通知する。接触検出部１０の押下位置の移動距離は、例えば、荷重検出部３０により検出した押圧荷重が１段目の入力受付荷重閾値を超えてから測定を開始する。制御部５０は、押下移動距離測定部８０から入力される移動距離が所定の長さを超えた場合には、スライド操作がされているものと判断する。スライド操作とは、接触検出部１０の入力面１０ａを押下したまま、接触物をスライドさせる操作をいう。押下移動距離測定部８０を備えることにより、制御部５０は通常操作とスライド操作とを識別することができる。
【００５６】
記憶部４０は、通常操作時に用いる入力受付荷重閾値及び入力受付解除荷重閾値と、スライド操作時に用いる入力受付荷重閾値及び入力受付解除荷重閾値とを記憶する。図８は、長押し操作時に用いる入力受付荷重閾値及び入力受付解除荷重閾値の一例を示す図である。ここでは、３段入力まで示しており、入力段数が上がるにつれて、入力受付荷重閾値と入力受付解除荷重閾値との間隔が大きくなる。なお、図５に示した長押し操作時の押圧荷重の変動と、図８に示したスライド操作時の押圧荷重の変動とを比較すると、一般的に、スライド操作時のほうが、急激に押圧荷重が低下する傾向にある。そのため、スライド操作時における入力受付荷重閾値と入力受付解除荷重閾値との間隔は、長押し操作時よりも広くするのが好適である。
【００５７】
次に、このように構成される本実施形態に係る電子機器１ｃの動作を説明する。図９は、本実施形態に係る電子機器１ｃの動作を示すフローチャートである。ここでは、２段入力の場合について説明し、押圧荷重が入力受付荷重閾値を超えた場合に触感を呈示するものとする。
【００５８】
電子機器１ｃの動作が開始すると、制御部５０は、接触検出部１０に対する接触を監視するとともに、荷重検出部３０で検出される荷重を監視し（ステップＳ３０１）、操作者の指等の接触物による接触検出部１０に対する接触が検出されると、荷重検出部３０により検出される押圧荷重が、１段目の入力受付荷重基準を満たすか否かを判定する（ステップＳ３０２）。
【００５９】
ステップＳ３０２において、荷重検出部３０により検出される押圧荷重が、１段目の入力受付荷重基準を満たす場合には、制御部５０は、該接触の位置を記憶部４０に記憶し（ステップＳ３０３）、触感を呈示する（ステップＳ３０４）。そして、制御部５０は、１段目の入力受付解除荷重基準を設定する（ステップＳ３０５）。
【００６０】
本実施形態の電子機器１ｃでは、次に、制御部５０は、押下移動距離測定部８０から入力される移動距離に基づいてスライド操作がなされているか否かを判定する（ステップＳ３０６）。制御部５０は、ステップＳ３０６においてスライド操作がなされていないと判定した場合には、ステップＳ３０５において設定された入力受付解除荷重基準を変更しない。一方、制御部５０は、ステップＳ３０６においてスライド操作がなされていると判定した場合には、ステップＳ３０５において設定された１段目の入力受付解除荷重基準を変更し、図８に示すように１段目の入力受付荷重閾値および入力受付解除荷重閾値の間隔ｄ１を広くする（ステップＳ３０７）。
【００６１】
その後、制御部５０は、荷重検出部３０により検出される押圧荷重が、２段目の入力受付荷重基準を満たすまで待機する（ステップＳ３０８）。待機中に、荷重検出部３０により検出される押圧荷重が１段目の入力受付解除荷重基準を満たすか否かを判定し（ステップＳ３０９）、１段目の入力受付解除荷重基準を満たさなくなると、動作を終了する。ステップＳ３０８において、荷重検出部３０により検出される押圧荷重が、２段目の入力受付荷重基準を満たす場合には、制御部５０は触感を呈示する（ステップＳ３１０）。
【００６２】
次に、制御部５０は、２段目の入力受付解除荷重基準を設定し（ステップＳ３１１）、ステップＳ３０６と同様に、押下移動距離測定部８０から入力される押下時間に基づいてスライド操作がなされているか否かを判定する（ステップＳ３１２）。そして、スライド操作がなされていると判定した場合には、ステップＳ３１１において設定された２段目の入力受付解除荷重基準を変更し、図８に示すように２段目の入力受付荷重閾値および入力受付解除荷重閾値の間隔ｄ２を広くする（ステップＳ３１３）。ここで、間隔ｄ２は間隔ｄ１よりも広くする。最後に、制御部５０は、荷重検出部３０により検出される押圧荷重が、２段目の入力受付解除荷重基準を満たさなくなると、動作を終了する（ステップＳ３１４）。
【００６３】
このように、本実施形態の電子機器１ｃによれば、制御部５０は、入力面１０ａの押下中における押下位置の移動距離が所定の長さを越える場合に、入力受付荷重基準と入力受付解除荷重基準との間隔を制御することにより、スライド操作を識別し、スライド操作に適した押圧荷重閾値を設定することでるので、操作者が意図しない入力受付解除を防止することが可能となる。
【００６４】
（第４の実施形態）
次に、本発明による第４の実施形態の電子機器について説明する。なお、第１の実施形態の電子機器１ａと同じ構成要素には同一の参照番号を付して説明を省略する。
【００６５】
図１０は、第４の実施形態の電子機器の概略構成を示すブロック図である。本実施形態の電子機器１ｄは、接触検出部１０と、表示部２０と、荷重検出部３０と、記憶部４０と、制御部５０と、触感呈示部６０と、アプリケーション判定部９０とを備える。本実施形態の電子機器１ｄは、第１の実施形態の電子機器１ａと比較して、さらにアプリケーション判定部９０を備える点が相違する。なお、説明の便宜上、電子機器１ｄが制御部５０とは別にアプリケーション判定部９０を備える構成としているが、制御部５０がアプリケーション判定部９０を含んでもよい。
【００６６】
アプリケーション判定部９０は、現在起動中のアプリケーションの種別を判定し、制御部５０に通知する。アプリケーション判定部９０により、長押し操作又はスライド操作を必要とするアプリケーションと、長押し操作及びスライド操作を必要としないアプリケーションとを識別する。記憶部４０は、入力段ごとの入力受付荷重閾値及び入力受付解除荷重閾値を記憶するとともに、長押し操作用の入力段ごとの入力受付解除荷重閾値と、スライド操作用の入力段ごとの入力受付解除荷重閾値とを記憶する。
【００６７】
次に、このように構成される本実施形態に係る電子機器１ｄの動作を説明する。図１１は、本実施形態に係る電子機器１ｄの動作を示すフローチャートである。ここでは、２段入力の場合について説明し、押圧荷重が入力受付荷重閾値を超えた場合に触感を呈示するものとする。
【００６８】
電子機器１ｄの動作が開始すると、制御部５０は、アプリケーション判定部９０から入力されるアプリケーション種別により、長押し操作又はスライド操作を必要とするアプリケーションであるか否かを識別する（ステップＳ４０１）。そして、接触検出部１０に対する接触を監視するとともに、荷重検出部３０で検出される荷重を監視し（ステップＳ４０２）、操作者の指等の接触物による接触検出部１０に対する接触が検出されると、荷重検出部３０により検出される押圧荷重が、１段目の入力受付荷重基準を満たすか否かを判定する（ステップＳ４０３）。
【００６９】
ステップＳ４０３において、荷重検出部３０により検出される押圧荷重が、１段目の入力受付荷重基準を満たす場合には、制御部５０は、該接触の位置を記憶部４０に記憶し（ステップＳ４０４）、触感を呈示する（ステップＳ４０５）。そして、制御部５０は、ステップＳ４０１において識別したアプリケーション基づいて、１段目の入力受付解除荷重基準を設定する（ステップＳ４０６）。
【００７０】
制御部５０は、荷重検出部３０により検出される押圧荷重が、２段目の入力受付荷重基準を満たすまで待機する（ステップＳ４０７）。待機中に、荷重検出部３０により検出される押圧荷重が１段目の入力受付解除荷重基準を満たすか否かを判定し（ステップＳ４０８）、１段目の入力受付解除荷重基準を満たさなくなると、動作を終了する。ステップＳ４０７において、荷重検出部３０により検出される押圧荷重が、２段目の入力受付荷重基準を満たす場合には、制御部５０は触感を呈示する（ステップＳ４０９）。
【００７１】
次に、制御部５０は、ステップＳ４０６と同様に、ステップＳ４０１において識別したアプリケーション基づいて、２段目の入力受付解除荷重基準を設定する（ステップＳ４１０）。最後に、制御部５０は、荷重検出部３０により検出される押圧荷重が、２段目の入力受付解除荷重基準を満たさなくなると、動作を終了する（ステップＳ４１１）。
【００７２】
このように、本実施形態の電子機器１ｄによれば、制御部５０は、アプリケーションの種別に応じて入力受付荷重基準と入力受付解除荷重基準との間隔を制御することにより、アプリケーションに応じ、個別に最適な荷重閾値を設定できるので、操作者が意図しない入力受付解除を防止することが可能となる。
【００７３】
なお、本発明は、上記実施の形態にのみ限定されるものではなく、幾多の変形または変更が可能である。例えば、上述した実施の形態では、接触検出部１０を用いて入力面１０ａに対する接触を検出したが、荷重センサ（荷重検出部）を用いて、所定の押圧荷重の基準を満たした場合に、接触がなされたものと判定することもできる。このような荷重検出部は、上述した実施の形態の荷重検出部３０と同様に、任意の個数の歪みゲージセンサ３１等を用いて構成することができる。
【００７４】
また、上述した実施の形態において、荷重検出部３０は、接触検出方式に応じて構成することができる。例えば、抵抗膜方式の場合には、接触面積による抵抗変化に基づく出力信号の変化から荷重が検出できれば、歪みゲージセンサ３１を用いることなく構成することができる。あるいは、静電容量方式の場合には、静電容量の変化に基づく出力信号の変化から荷重が検出できる場合も、歪みゲージセンサ３１を用いることなく構成することができる。
【００７５】
また、触感呈示部６０は、振動モータ（偏心モータ）に基づいて電子機器を振動させることにより、接触検出部１０の入力面１０ａを間接的に振動させるように構成することもできる。さらに、荷重検出部３０および触感呈示部６０は、圧電素子を用いて構成する場合は、圧電素子を共用して荷重検出部３０および触感呈示部６０を構成することもできる。圧電素子は、圧力が加わると電力を発生し、電力が加えられると変形するためである。
【００７６】
上述した実施の形態においては、接触検出部１０を表示部２０の上面に重ねて配置した構成を想定して説明したが、必ずしもこのような構成にする必要はなく、接触検出部１０と表示部２０とを離間した構成にしてもよい。
【００７７】
また、上述した実施の形態では、制御部５０は、荷重検出部３０により入力受付荷重基準を満たす押圧荷重が検出されると入力を受け付けるが、入力受付荷重基準を満たす際とは、荷重検出部３０により検出された押圧荷重が入力を受け付ける所定値に達した際であってもよいし、荷重検出部３０により検出された押圧荷重が入力を受け付ける所定値を超えた際でもよいし、荷重検出部３０により入力を受け付ける所定値が検出された際でもよい。また、上述の実施形態の説明において、閾値を「超える」、閾値「以下」といった表現は必ずしも厳密な意味ではなく、閾値を「超える」とは閾値以上となった場合も包含し得るものとし、閾値「以下」とは閾値未満となった場合も包含し得るものとする。
【００７８】
また、上述した実施の形態において、触感呈示部６０が入力面１０ａに接触している接触対象に対して触感を呈示する態様として、触感呈示部６０が入力面１０ａに振動を発生させることにより、入力面１０ａに接触している接触対象に対して触感を呈示する態様を挙げて説明したが、本発明はこれに限定されず、接触検出部１０上に貼ったフィルムの電荷を制御する等により、機械的な振動を使わずに、入力面１０ａに接触している接触対象に対して触感を呈示してもよい。
【００７９】
また、上述の実施形態の説明における接触検出部１０および表示部２０は、接触検出部１０および表示部２０の両機能を共通の基板に持たせる等により、一体化した装置によって構成されてもよい。このような接触検出部１０および表示部２０の両機能を一体化した装置の構成の一例としては、液晶パネルが有するマトリクス状配列の画素電極群に、フォトダイオード等の複数の光電変換素子を規則的に混在させたものがある。この装置は、液晶パネル構造によって画像を表示する一方で、パネル表面の所望位置をタッチ入力するペンの先端で液晶表示用のバックライトの光を反射し、この反射光を周辺の光電変換素子が受光することにより、タッチ位置を検出することができる。
【００８０】
また、上述した実施の形態において、入力面１０ａは、接触物が接触する面であり、接触検出部１０における面を想定して説明したが、必ずしもこれに限定されず、接触検出機能、位置検出機能を有することのない単なるプレートの面であってもよい。
【符号の説明】
【００８１】
１ａ，１ｂ，１ｃ，１ｄ  電子機器
１０  接触検出部
１０ａ  入力面
１１  筐体
１２  インシュレータ
１３  アッパカバー
１４  インシュレータ
２０  表示部
３０  荷重検出部
３１  歪みゲージセンサ
４０  記憶部
５０  制御部
６０  触感呈示部
６１  圧電振動子
７０  押下時間測定部
８０  押下移動距離測定部
９０  アプリケーション判定部
【図１】
0005602651.tif 000002
【図２】
0005602651.tif 000003
【図３】
0005602651.tif 000004
【図４】
0005602651.tif 000005
【図５】
0005602651.tif 000006
【図６】
0005602651.tif 000007
【図７】
0005602651.tif 000008
【図８】
0005602651.tif 000009
【図９】
0005602651.tif 000010
【図１０】
0005602651.tif 000011
【図１１】
0005602651.tif 000012
【図１２】
0005602651.tif 000013